(57)【要約】【課題】装置全体の小型化を図ること。【解決手段】パッケージ型発電装置は、ベース３上に原動機１および発電機２が直結されて設置されている。そのうち外径寸法の大きい原動機１は、防振ゴム６を介してベース３上に設置された矩形枠型をなす原動機架台８上に載置され、原動機１の振れ止め装置は、原動機架台８の枠の内側に設けられた振れ止め板９に遊嵌孔９ａを形成し、この遊嵌孔９ａをベース３に固定されたスタッドボルト１０ｂに嵌合させて構成されている。またヒーター１１は、原動機架台８の枠の内側で原動機１の下方に設置されている。【選択図】図２
2008115744.tif 000002
【特許請求の範囲】
【請求項１】
ベースと、
矩形枠型をなし、防振ゴムを介して前記ベース上に設置されるとともに枠の内側に振れ止め装置を有する原動機架台と、
この原動機架台上に設置された原動機と、
この原動機と直結されて前記ベース上に防振ゴムを介して設置された発電機と、
前記原動機および発電機を覆うように前記ベースに取り付けられたパッケージと、
を備えてなるパッケージ型発電装置。
【請求項２】
ベースと、
矩形枠型をなし、防振ゴムを介して前記ベース上に設置された原動機架台と、
この原動機架台上に設置された原動機と、
この原動機と直結されて前記ベース上に防振ゴムを介して設置された発電機と、
前記原動機および発電機を覆うように前記ベースに取り付けられたパッケージと、
前記原動機架台の枠の内側で前記原動機の下方に設置されたヒーターと、
を備えてなるパッケージ型発電装置。
【請求項３】
ベースと、
矩形枠型をなし、防振ゴムを介して前記ベース上に設置された原動機架台と、
この原動機架台上に設置された原動機と、
この原動機と直結されて前記ベース上に防振ゴムを介して設置された発電機と、
前記原動機および発電機を覆うように前記ベースに取り付けられ、開閉扉を有するとともにその開閉扉を開いた状態に固定するストッパーが嵌合されるストッパー座が着脱自在に設けられたパッケージと、
を備えてなるパッケージ型発電装置。
【請求項４】
ベースと、
矩形枠型をなし、防振ゴムを介して前記ベース上に設置された原動機架台と、
この原動機架台上に設置された原動機と、
この原動機と直結されて前記ベース上に防振ゴムを介して設置された発電機と、
前記原動機および発電機を覆うように前記ベースに取り付けられたパッケージと、
このパッケージの側面に取り付けられ、上下方向に分割可能な排風ダクトと、
を備えてなるパッケージ型発電装置。
【発明の詳細な説明】
【技術分野】
【０００１】
本発明は、ベース上に原動機、発電機等を載置して周囲をパッケージで覆ったパッケージ型発電装置に関するものである。
【背景技術】
【０００２】
大型の病院やショッピングセンタ等で自家発電や非常用電源として、あるいは熱電併用として設置されるパッケージ型発電装置は、ディーゼルエンジン、ガソリンエンジン等の原動機や交流発電機等の発電機およびこれらの機器を運転制御する制御盤を備えており、防音壁構造を有するパッケージ内に収納されて構成されている。またパッケージ内は密閉状態に維持され、パッケージに設けられた換気扇により換気されるようになっている。
【０００３】
原動機と発電機は直結されており、これら原動機および発電機は、それぞれの下部に設けられた脚および防振ゴムを介してベース上に設置されている。このようなパッケージ型発電装置は、特許文献１に記載されている。
【０００４】
ここで原動機および発電機は、特許文献１の第３図にも記載されているように、それぞれ下部に設けられた脚および防振ゴムを介してベース上に設置されるが、この場合、脚には、いわゆる振れ止め装置が設けられている。この振れ止め装置は、脚における防振ゴムの設置箇所から外側に延長した部分に設けられた遊嵌孔と、ベースに固定されて遊嵌孔に遊嵌されるスタッドボルトとから構成されている。この振れ止め装置は、通常の運転時における原動機および発電機の振動振幅に対しては、遊嵌孔とスタッドボルトとの間に隙間が確保されて原動機および発電機の振動を防振ゴムにより吸収し、地震等が発生して原動機および発電機が防振ゴムの許容変形範囲を超える振動振幅で揺れるような場合には、脚の遊嵌孔がスタッドボルトに接触して振幅が制限されることにより防振ゴムの損傷が防止される機能を有するものである。
【０００５】
一方、原動機の近傍に位置するベース上にはヒーターが設けられており、このヒーターを加温することによって、外気温とパッケージ内との温度差を小さくしてパッケージ内の機器に対する結露の発生を防止したり、また冬期おいて外気温度の低下による冷却水の凍結や潤滑油の粘度低下を防止したりすることができるようになっている。
【０００６】
さらにパッケージの側面には、内部点検のための開閉扉が設けられている。パッケージの内部は換気扇により換気されているが、装置の運転中に開閉扉を開けると、パッケージの内部と外気の気圧差により開閉扉が動いてしまうことがあるので、パッケージおよび開閉扉にストッパー座を設けてストッパーを取り付けることにより、開閉扉を開いた状態に固定できるようになっている。
【０００７】
またパッケージには、上部に向けて排気を行う排風ダクトが設けられている。
【特許文献１】特開平２−９７７９８号公報
【発明の開示】
【発明が解決しようとする課題】
【０００８】
ところで、上記従来のパッケージ型発電装置においては、原動機および発電機に設けられた脚に振れ止め装置用の遊挿孔を設けるために脚を水平方向外側に延長した大きさに形成する必要があり、このため脚の水平方向の寸法が大きくなって、ベースやパッケージの寸法を大きくしていた。またベース上にヒーターを設置しているために、ヒーターの設置面積分ベースが大きくなり、パッケージの寸法も大きくなっていた。
【０００９】
さらにパッケージ型発電装置の組み立ては、ベース上に原動機、発電機および制御盤等の機器を設置した状態で、パッケージを上から被せてベースに取り付けるようにしているが、この際にパッケージの内側に突出しているストッパー座が原動機などの機器に接触することがないように組み立てに必要な間隔以上に適当な間隔を加えてパッケージの寸法を決めており、そのためパッケージの寸法は、本来の機器を納めるという目的を果たすために必要な寸法よりも大きくなっていた。
【００１０】
さらに排風ダクトがパッケージに組み込んで構成されていることもパッケージ全体の寸法を大きくする要因になっていた。
【００１１】
本発明は、上述のような従来技術の問題を解決するためになされたものであり、装置全体の小型化を図ることのできるパッケージ型発電装置を提供することを目的とするものである。
【課題を解決するための手段】
【００１２】
上記目的を達成するために本発明によるパッケージ型発電装置は、ベースと、矩形枠型をなし、防振ゴムを介してベース上に設置されるとともに枠の内側に振れ止め装置を有する原動機架台と、この原動機架台上に設置された原動機と、この原動機と直結されてベース上に防振ゴムを介して設置された発電機と、原動機および発電機を覆うようにベースに取り付けられたパッケージと、を備えてなることを特徴とする。
【００１３】
また本発明によるパッケージ型発電装置は、ベースと、矩形枠型をなし、防振ゴムを介してベース上に設置された原動機架台と、この原動機架台上に設置された原動機と、この原動機と直結されてベース上に防振ゴムを介して設置された発電機と、原動機および発電機を覆うようにベースに取り付けられたパッケージと、原動機架台の枠の内側で原動機の下方に設置されたヒーターと、を備えてなることを特徴とする。
【００１４】
さらに本発明によるパッケージ型発電装置は、ベースと、矩形枠型をなし、防振ゴムを介してベース上に設置された原動機架台と、この原動機架台上に設置された原動機と、この原動機と直結されてベース上に防振ゴムを介して設置された発電機と、原動機および発電機を覆うようにベースに取り付けられ、開閉扉を有するとともにその開閉扉を開いた状態に固定するストッパーが嵌合されるストッパー座が着脱自在に設けられたパッケージと、を備えてなることを特徴とする。
【００１５】
さらにまた本発明によるパッケージ型発電装置は、ベースと、矩形枠型をなし、防振ゴムを介してベース上に設置された原動機架台と、この原動機架台上に設置された原動機と、この原動機と直結されてベース上に防振ゴムを介して設置された発電機と、原動機および発電機を覆うようにベースに取り付けられたパッケージと、このパッケージの側面に取り付けられ、上下方向に分割可能な排風ダクトと、を備えてなることを特徴とする。
【発明の効果】
【００１６】
本発明によれば、防振ゴムを介してベース上に矩形枠型の原動機架台を設置し、この原動機架台の枠の内側に振れ止め装置を設けたり、ヒーターを原動機架台の枠の内側で原動機の下方に設置したり、パッケージにおける開閉扉を開いた状態に固定するストッパーが嵌合されるストッパー座を着脱自在に設けたり、排風ダクトを上下方向に分割可能に構成したりすることにより、装置全体の小型化を図ることができる。
【発明を実施するための最良の形態】
【００１７】
以下、本発明に係るパッケージ型発電装置について図面を参照して説明する。図１は本発明によるパッケージ型発電装置の全体を、正面側の側壁を開口して示す正面図である。図２は図１に示すパッケージ型発電装置を拡大して示す平面断面図である。また図３は図１に示す振れ止め装置を拡大して示す斜視図である。図４は図２に示す開閉扉のストッパー構造を拡大して示す斜視図である。
【００１８】
図１および図２において、原動機１と発電機２は、水平方向に直結されてベース３上に載置されている。また発電機２の側方には制御盤４が設置されている。またこれら原動機１、発電機２および制御盤４を覆うように、防音構造を有するパッケージ５がベース３に取り付けられている。
【００１９】
発電機２は、その下部に取り付けられた脚２ａが防振ゴム６を介してベース３上に設置されており、脚２ａには遊嵌孔が形成されていて、ベース３に固定されたスタッドボルト７との嵌合によって振れ止め装置が構成されている。
【００２０】
発電機２よりも外径寸法の大きい原動機１は、矩形枠型をなす原動機架台８上に直接設置されており、この原動機架台８が防振ゴム６を介してベース３上に設置されている。この原動機架台８の枠の内側中間部には、振れ止め板９が橋渡るように設けられており、振れ止め板９の原動機架台８の近傍には遊嵌孔９ａが形成されている。この遊嵌孔９ａには、図３に示すように、ベース３にスタッド座１０ａを介して固定されたスタッドボルト１０ｂが遊嵌されており、このスタッドボルト１０ｂと遊嵌孔９ａにより振れ止め装置が構成されている。
【００２１】
原動機架台８の枠の内側で原動機１の下方の位置には、ヒーター１１が設置されている。このヒーター１１は、外気温とパッケージ５内との温度差を小さくしてパッケージ５内の機器に対する結露の発生を防止したり、また冬期おいて外気温度の低下による冷却水の凍結や潤滑油の粘度低下を防止したりするものであり、制御盤４により温度制御される。
【００２２】
パッケージ５の側面には、パッケージ５内部の機器の点検等に使用される開閉扉１２が設けられている。この開閉扉１２は、図４に示すように開いた状態を固定するためにストッパー１３が取り付けられるように、扉側の底辺部にストッパー座１２ａが形成されている。また開閉扉１２により閉じられる開口部の底辺部には、断面Ｌ字状のストッパー座１２ｂがボルト、ナット等の固定手段１２ｃにより着脱自在に取り付けられている。これらストッパー座１２ａ，１２ｂにコの字状に折り曲げられたストッパー１３が挿し込まれ、嵌合されることにより、開閉扉１２を開いた状態に固定できるようになっている。
【００２３】
パッケージ５の側面には、換気扇１４により換気される空気を排出する排風ダクト１５ａ，１５ｂが設けられている。この排風ダクト１５ａ，１５ｂは、内部が消音構造になっていて排出口が上方に位置するように上下方向に長く構成されており、しかも上下方向に二分割可能に構成されている。二分割の分割線１５ｃの位置は、パッケージ５の高さと同等かそれ以下となるように設定されている。
【００２４】
このように構成されたパッケージ型発電装置においては、原動機１が原動機架台８に直接載置され、原動機架台８が防振ゴム６を介してベース３上に設置されるとともに矩形枠型をなす原動機架台８の枠の内側に振れ止め装置を設けているので、水平方向外側に延びる脚を設けないことから、原動機１の設置スペースの縮小化が図れ、ひいてはベース３およびパッケージ５の寸法を小さくすることができる。
【００２５】
またヒーター１１は、原動機架台８の枠の内側で原動機１の下方の位置に設置されているので、ベース３上にヒーター１１を設置するための専用スペースを確保する必要がなく、この点からもベース３およびパッケージ５の寸法を小さくすることができる。
【００２６】
さらにパッケージ５は、ベース３上の原動機１、発電機２、制御盤４等が設置された状態でベース３上に上から被せて取り付けられるが、この際に開閉扉１２を開いた状態に固定するストッパー座１２ｂを分離しておき、パッケージ５の設置後に取り付けることにより、パッケージ５内の機器を傷付けることがなくなる。このためパッケージ５の内側に突出しているストッパー座１２ｂが原動機１などの機器に接触することがないように組み立てに必要な間隔以上に適当な間隔を加える必要がなくなり、パッケージ５の寸法は、本来の機器を納めるという目的を果たすために必要な寸法に縮小することができる。
【００２７】
さらに排風ダクト１５ａ，１５ｂは、上下に二分割できることにより、輸送時には上部の排風ダクト１５ｂを分離することで、パッケージ型発電装置の輸送時の高さ寸法を小さくすることができ、現地での復元も容易に行うことができる。
【図面の簡単な説明】
【００２８】
【図１】本発明によるパッケージ型発電装置の全体を、正面側の側壁を開口して示す正面図である。
【図２】図１に示すパッケージ型発電装置を拡大して示す平面断面図である。
【図３】図１に示す振れ止め装置を拡大して示す斜視図である。
【図４】図２に示す開閉扉のストッパー構造を拡大して示す斜視図である。
【符号の説明】
【００２９】
１…原動機
２…発電機
２ａ…脚
３…ベース
４…制御盤
５…パッケージ
６…防振ゴム
７…スタッドボルト
８…原動機架台
９…振れ止め板
９ａ…遊嵌孔
１０ａ…スタッド座
１０ｂ…スタッドボルト
１１…ヒーター
１２…開閉扉
１２ａ，１２ｂ…ストッパー座
１２ｃ…固定手段
１３…ストッパー
１４…換気扇
１５ａ，１５ｂ…排風ダクト
１５ｃ…分割線
【図１】
2008115744.tif 000003
【図２】
2008115744.tif 000004
【図３】
2008115744.tif 000005
【図４】
2008115744.tif 000006